【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
接眼レンズと、
対物レンズと、
前記接眼レンズと前記対物レンズとを結ぶ光路上を移動可能に設けられたフォーカスレンズと、
前記フォーカスレンズを移動することにより、観察者により観察される像の位置を移動する回復動作部と、
前記フォーカスレンズの位置を検出する検出部とを左右それぞれに備え、
左右それぞれの前記フォーカスレンズの位置を前記光路上で移動させることにより、焦点調節と、前記像の位置の変更とを行う制御部と、
前記焦点調節を行った際および前記像の位置の変更を行った際に前記検出部により検出された前記フォーカスレンズの位置を記憶する記憶部と、
前記記憶部に記憶された前記フォーカスレンズの位置を読み出す指示を受け付ける受付部とを備え、
前記受付部により前記指示を受け付けると、前記制御部は、前記記憶部から前記フォーカスレンズの位置を読み出し、読み出した位置に前記フォーカスレンズを移動させる
ことを特徴とする双眼鏡。
【請求項２】
接眼レンズと、
対物レンズと、
前記接眼レンズと前記対物レンズとを結ぶ光路上を移動可能に設けられたフォーカスレンズと、
前記フォーカスレンズを移動することにより、観察者により観察される像の位置を移動する回復動作部と、
前記フォーカスレンズの位置を検出する検出部と、
前記フォーカスレンズの位置を移動させることにより、焦点調節と、前記像の位置の変更とを行う制御部と、
前記焦点調節を行った際および前記像の位置の変更を行った際に前記検出部により検出された前記フォーカスレンズの位置を記憶する記憶部と、
前記記憶部に記憶された前記フォーカスレンズの位置を読み出す指示を受け付ける受付部とを備え、
前記受付部により前記指示を受け付けると、前記制御部は、前記記憶部から前記フォーカスレンズの位置を読み出し、読み出した位置に前記フォーカスレンズを移動させる
ことを特徴とする望遠鏡。
【請求項３】
請求項１に記載の双眼鏡において、
前記双眼鏡は、観察対象を観察する双眼鏡モードと、前記回復動作部により前記フォーカスレンズを移動する眼疲労回復モードとを有し、
前記双眼鏡モードと前記眼疲労回復モードとを切り換える切換部をさらに備える
ことを特徴とする双眼鏡。
【請求項４】
請求項３に記載の双眼鏡において、
前記フォーカスレンズを光軸方向に移動するフォーカスレンズ移動部を左右それぞれにさらに備え、
前記制御部は、前記切換部により前記双眼鏡モードへの切り換えが行われると、左右それぞれの前記フォーカスレンズ移動部を制御して、左右それぞれの前記フォーカスレンズを予め定められた初期位置に移動する
ことを特徴とする双眼鏡。
【請求項５】
請求項３に記載の双眼鏡において、
前記フォーカスレンズを光軸方向に移動するフォーカスレンズ移動部を左右それぞれにさらに備え、
前記制御部は、前記切換部により前記眼疲労回復モードへの切り換えが行われると、まず、前記観察者に焦点調節を促し、前記観察者からの焦点調節指示に応じて、左右それぞれの前記検出部を制御して左右それぞれの前記フォーカスレンズの位置の検出を行い、次に、前記検出部による検出結果に応じて、左右それぞれの前記フォーカスレンズの前記疲労回復モード開始時における初期位置を決定し、さらに、左右それぞれの前記フォーカスレンズ移動部を制御して、左右それぞれの前記フォーカスレンズを前記初期位置に移動する
ことを特徴とする双眼鏡。
【請求項６】
請求項５に記載の双眼鏡において、
前記記憶部は、前記制御部により決定した前記初期位置を記憶する
ことを特徴とする双眼鏡。
【請求項７】
請求項５に記載の双眼鏡において、
前記制御部は、前記観察者による焦点調節指示に応じて左右それぞれの前記フォーカスレンズを前記初期位置に移動した後に、左右それぞれの前記フォーカスレンズ移動部を制御して、左右それぞれの前記フォーカスレンズを所定の時間往復移動させる
ことを特徴とする双眼鏡。
【請求項８】
請求項３に記載の双眼鏡において、
前記双眼鏡は、前記接眼レンズで観察可能な画像の表示装置と、前記画像を前記接眼レンズに導く光学系とを左右それぞれに備え、
前記制御部は、前記切換部により前記眼疲労回復モードへの切り換えが行われると、前記表示装置を制御して前記画像を表示するとともに、左右それぞれの前記光学系により、前記画像を左右それぞれの前記接眼レンズに導く
ことを特徴とする双眼鏡。
【手続補正２】
【補正対象書類名】明細書
【補正対象項目名】０００５
【補正方法】変更
【補正の内容】
【０００５】
本発明の双眼鏡は、接眼レンズと、対物レンズと、前記接眼レンズと前記対物レンズとを結ぶ光路上を移動可能に設けられたフォーカスレンズと、前記フォーカスレンズを移動することにより、観察者により観察される像の位置を移動する回復動作部と、前記フォーカスレンズの位置を検出する検出部とを左右それぞれに備え、左右それぞれの前記フォーカスレンズの位置を前記光路上で移動させることにより、焦点調節と、前記像の位置の変更とを行う制御部と、前記焦点調節を行った際および前記像の位置の変更を行った際に前記検出部により検出された前記フォーカスレンズの位置を記憶する記憶部と、前記記憶部に記憶された前記フォーカスレンズの位置を読み出す指示を受け付ける受付部とを備え、前記受付部により前記指示を受け付けると、前記制御部は、前記記憶部から前記フォーカスレンズの位置を読み出し、読み出した位置に前記フォーカスレンズを移動させることを特徴とする。
なお、好ましくは、前記双眼鏡は、観察対象を観察する双眼鏡モードと、前記回復動作部により前記フォーカスレンズを移動する眼疲労回復モードとを有し、前記双眼鏡モードと前記眼疲労回復モードとを切り換える切換部をさらに備えても良い。
また、好ましくは、前記フォーカスレンズを光軸方向に移動するフォーカスレンズ移動部を左右それぞれにさらに備え、前記制御部は、前記切換部により前記双眼鏡モードへの切り換えが行われると、左右それぞれの前記フォーカスレンズ移動部を制御して、左右それぞれの前記フォーカスレンズを予め定められた初期位置に移動しても良い。
また、好ましくは、前記フォーカスレンズを光軸方向に移動するフォーカスレンズ移動部を左右それぞれにさらに備え、前記制御部は、前記切換部により前記眼疲労回復モードへの切り換えが行われると、まず、前記観察者に焦点調節を促し、前記観察者からの焦点調節指示に応じて、左右それぞれの前記検出部を制御して左右それぞれの前記フォーカスレンズの位置の検出を行い、次に、前記検出部による検出結果に応じて、左右それぞれの前記フォーカスレンズの前記疲労回復モード開始時における初期位置を決定し、さらに、左右それぞれの前記フォーカスレンズ移動部を制御して、左右それぞれの前記フォーカスレンズを前記初期位置に移動しても良い。
また、好ましくは、前記記憶部は、前記制御部により決定した前記初期位置を記憶しても良い。
また、好ましくは、前記制御部は、前記観察者による焦点調節指示に応じて左右それぞれの前記フォーカスレンズを前記初期位置に移動した後に、左右それぞれの前記フォーカスレンズ移動部を制御して、左右それぞれの前記フォーカスレンズを所定の時間往復移動させても良い。
また、好ましくは、前記双眼鏡は、前記接眼レンズで観察可能な画像の表示装置と、前記画像を前記接眼レンズに導く光学系とを左右それぞれに備え、前記制御部は、前記切換部により前記眼疲労回復モードへの切り換えが行われると、前記表示装置を制御して前記画像を表示するとともに、左右それぞれの前記光学系により、前記画像を左右それぞれの前記接眼レンズに導いても良い。
【手続補正３】
【補正対象書類名】明細書
【補正対象項目名】０００６
【補正方法】変更
【補正の内容】
【０００６】
本発明の望遠鏡は、接眼レンズと、対物レンズと、前記接眼レンズと前記対物レンズとを結ぶ光路上を移動可能に設けられたフォーカスレンズと、前記フォーカスレンズを移動することにより、観察者により観察される像の位置を移動する回復動作部と、前記フォーカスレンズの位置を検出する検出部と、前記フォーカスレンズの位置を移動させることにより、焦点調節と、前記像の位置の変更とを行う制御部と、前記焦点調節を行った際および前記像の位置の変更を行った際に前記検出部により検出された前記フォーカスレンズの位置を記憶する記憶部と、前記記憶部に記憶された前記フォーカスレンズの位置を読み出す指示を受け付ける受付部とを備え、前記受付部により前記指示を受け付けると、前記制御部は、前記記憶部から前記フォーカスレンズの位置を読み出し、読み出した位置に前記フォーカスレンズを移動させることを特徴とする。